(57)【要約】【課題】ラッチ構造を提供する。【解決手段】本考案のラッチ構造は、支持体、クリップ、フック、及び弾性体より構成されてなり、該支持体の一端は弾性を有し湾曲した嵌合部を形成してなり、他端はフック及びつまみを備えるクリップを設置してなり、該フックは爪を備えてなり主基板の固定枠上のフック孔に嵌合させることに利用されてなり、該フックは上述の弾性体を被せて備えてなり、該弾性体がフックを固定枠に近寄らせる圧力を与えることにより、クリップを動かした時に、連接するフックが弾性体の弾性引導の特性によって、簡単に固定枠上に装着させることを可能とする。【選択図】図１
0003121085.tif 000002
【実用新案登録請求の範囲】
【請求項１】
支持体、クリップ、フック及び、弾性体より構成され、
該支持体の一端は、弾性を有する湾曲した嵌合部を形成してなり、他端はフック及びつまみを備えるクリップの組み合わせを設置してなり、該フックは爪を設けてなり、主基板の固定枠上のフック孔に嵌合されてなり、
該フックは該弾性体に被せられて設けられてなり、該弾性体はフックが固定枠に近寄る圧力を与えてなり、フックを簡単に固定枠に装着させてなることを特徴とした、ラッチ構造。
【請求項２】
前記フックの終端は延伸し爪を備えてなり、支持体を嵌合し、更にクリップを接合してなることを特徴とした、請求項１に記載のラッチ構造。
【請求項３】
前記支持体は嵌合部及び貫通孔を設けてなることを特徴とした、請求項１に記載のラッチ構造。
【請求項４】
前記弾性体は、湾曲構造を形成してなり、少なくとも一つの通孔を備えてなり、該弾性体の一端は延伸し嵌合部を備えてなり、他端は延伸しストッパーを備えてなることを特徴とした、請求項１に記載のラッチ構造。
【請求項５】
前記弾性体は、弓状、Ｃ字状、及びＵ字状構造を形成してなることを特徴とした、請求項１に記載のラッチ構造。
【考案の詳細な説明】
【技術分野】
【０００１】
本考案は、ラッチの揺動現象を抑制し、操作を簡単にしたラッチ構造に関する。
【背景技術】
【０００２】
コンピュータ機器の内部において、ＣＰＵが発生する熱量は機器全体の発生する熱量の大部分を占め、ＣＰＵの熱量がその許容範囲を超過するとコンピュータのトラブルの原因となる。更に電磁波輻射の問題を解決する為に、通常はシャーシによりコンピュータを覆蓋する為、ＣＰＵ及びその他の発熱部品の熱エネルギーを如何に迅速に吐き出し処理するかということが重要な課題となっている。
【０００３】
一般にＣＰＵは、上方にヒートシンクを設置してなり、該ヒートシンクの片側は鰭片形状にてなり、該ヒートシンクの他片側（非鰭片形状）は前記ＣＰＵに接触し熱エネルギーを鰭片形状へ伝導させ、輻射冷却或いは増設ファンにより熱エネルギーを迅速に拡散する。このように、ＣＰＵとヒートシンクの間は常に密接状態を保持することが必要であり、もし接触不良が生じれば、容易に熱抵抗が増加し、冷却効果の大幅な減少を招いてしまうのである。
【０００４】
中華民国特許公報第560646号に掲載のヒートシンク固定装置は、枠体、二つの突出部、及びヒートシンクより構成され、該枠体内部には収容空間が形成されてなり、該二つの突出部は該枠体上に設置されてなり、該二つの突出部と該枠体が一体に形成されてなる場合は、二つの突出部はＵ字型の突出部を備えてなり、該突出部の両側から適当な距離を置いた枠体上には固定孔を設けてなり、二つの突出部と枠体が分離式の設計にて形成される場合、該枠体上には多数の第一連接孔を設けてなり、該第一連接孔は該枠体上に相対する両側に設置されてなり、該突出部の両端は水平形状の翼部と連接してなり、該翼部上には、第一連接孔と対応する第二連接孔を設けてなり、連接螺子により第一連接孔を貫通させ対応する第二連接孔に螺合し、該突出部は連接螺子を経由して枠体上の対応する箇所に螺合され固定され、該固定孔は該突出部上の両端に設けられてなる。
【０００５】
該ヒートシンクはラッチ部と連接してなり、該ヒートシンクは該枠体の収容空間内に設置されてなり、該枠体は該ヒートシンクのラッチ部上に圧制され、このように、ヒートシンクをＣＰＵ上に組み合わせ、異なる型式のＣＰＵに応用することが可能となる。
【０００６】
但し、該ヒートシンク固定装置は螺子により該突出部を該枠体上の相対する両側の箇所へ螺合固定する必要があり全体の組み立て構造が複雑でコストが増加するばかりではなく、更に生産或いは製造上において困難を生じ、この外、ヒートシンクを取り外して異なる型式のＣＰＵに交換する必要があるとき、工具による補助を必要とし便利性に欠けると共に、時間的コストも高くなる。
【０００７】
この外、中華民国特許公報第595744号に掲載の側面固定のラッチ構造は、弾性アーム、第一ラッチ要素、第二ラッチ要素、及び側面固定つまみより構成され、該弾性アームは、接触面を備えてなり、該第一ラッチ要素は、該弾性アームの一端に連接してなり、該第二ラッチ要素は、該弾性アームが備える接触面の他端に連接してなり、該側面固定つまみは、偏心リングを備えてなり、該側面固定つまみは、該第二ラッチ要素と連接固定されてなり、該偏心リングは該弾性アームの接触面と接触し、該側面固定つまみは、該弾性アームの側面に突出してなると共につまみ本体を備えてなり、該つまみ本体の一端はペダルに連接してなる。
【０００８】
ラッチを固定しようとする時、該ラッチは第一ラッチ要素のフック孔をＣＰＵ  周りの固定台の相対するフックに引っ掛け、該第一ラッチ要素により固定端を形成し、該側面固定つまみを引き、偏心を支点とし弾性アームの接触面を押し、この時、該第二ラッチ要素のフック孔は該固定台の他方に対応するフックにより固定され、ヒートシンクをＣＰＵの上に安定装着することができる。
【０００９】
前述のラッチ構造は該側面固定つまみを引き第二ラッチ要素のフック孔が固定台のフック上に固定されるが、該側面固定つまみを引く時、該第二ラッチ要素のフック孔は固定台のフックを避ける必要があるため、固定台の逆方向に動き、該第二ラッチ要素のフック孔は固定台上に装着固定することが困難であり、使用上の不便を感じさせ、このように、公知の技術には改善を必要とする問題点がある。
【考案の開示】
【考案が解決しようとする課題】
【００１０】
本考案は、簡単に装着可能なラッチ構造を提供することを目的とする。
本考案は、更に簡単に取り外しでき、使用者のＣＰＵの交換を便利に実施できるようにすることを目的とする。
【課題を解決するための手段】
【００１１】
本考案のラッチ構造は、支持体、クリップ、フック、及び弾性体より構成され、上述の支持体の一端は弾性の湾曲した嵌合部を形成してなり、他端はフック及びつまみを備えるクリップを組み合わせて設置してなり、該フックは爪を備えてなり主基板の固定枠上のフック孔に嵌合することに利用されてなる。
【考案の効果】
【００１２】
その特徴は、該フックは上述の弾性体を被せて設置されてなり、該弾性体によりフックは固定枠に押し当てられ、クリップが押されて動くとき、連接するフックは弾性体の弾性引導の特性により、非常に簡単に該固定枠上にフックを引っ掛けることができ、揺動を防止し、安定性を大幅に向上する。
【考案を実施するための最良の形態】
【００１３】
本考案に対する長所、目的、技術的特徴及び効果を、以下の図に合わせて詳細に説明する。
図１、２、３に示すように、本考案のラッチ構造の第一実施例は、クリップ１０、フック２０、弾性体３０、支持体９０、より構成され、該クリップ１０は、本体１１により大きく区分されてなり、本体１１の片側は相対する平面が形成されてなり、反対側には補助部１１１が形成されてなり、クリップ１０の構造の強度を強化することができ、上述の本体１１の終端には、つまみ１２が形成されると共に縁から局部に横線の模様が設けられてなり、使用者が操作する時に滑り止めの役割をなし、前述の本体１１の反対側終端には凸縁１３が形成されてなり、前述の凸縁１３の横切面には細長い開口１３１が設けられ該フック２０を嵌合させてなる。上述の凸縁１３は偏心孔１３２を設けてなり、固定軸８０を前述の偏心孔１３２に通過させ該フック２０に設けられ相対する軸孔２２に通過接続し、該クリップ１０を時計回り或いは反時計回りに動かすことによりＹ軸方向に往復移動させることができる。
【００１４】
前述の支持体９０は上述のフック２０に被せ設置してなり、該フック２０を前述の支持体９０の貫通孔９１に嵌合すると共に、クリップ１０を接合してなる（上述の固定軸８０は前述の偏心孔１３２を通過し該フック２０が設ける対応した軸孔２２に連接されてなり、前述のクリップ１０を動かすことにより、該フック２０は貫通孔９１の方向に往復移動し、よって対象を押さえることができる）。
【００１５】
フック２０の終端は湾曲してなり爪２１へと延伸し、前記爪２１を利用してＣＰＵ６０の周囲が設ける固定枠７０の固定孔７１’を嵌合し、該支持体９０並びに設けられてなるフック９２は固定孔７１’を嵌合し、ヒートシンク５０を上述のＣＰＵ６０上方に貼付することができ（前述のフック２０の爪２１及び支持体９０のフック９２は該固定枠７０の固定孔７１、７１’に嵌合され、或いは固定孔７１、７１’を緩めて取り外され、上述のクリップ１０が動かされて前述の凸縁１３が支持体９０に接触或いは圧制する時、フック２０の爪２１は該固定枠７０固定孔７１’に引っ掛けられ該ヒートシンク５０を固定することができる）、ヒートシンク５０を定位することにより、ヒートシンク５０は上述のＣＰＵ６０に密接に貼付され、該ヒートシンクとＣＰＵ６０の間の熱抵抗は大幅に減少し冷却効果が向上する。
【００１６】
本考案の最大の特色は、上述のフック２０が弾性体３０を被せられて接続されてなり、該フック２０が揺動するのを防止し、フック２０が固定枠７０上にフックするのを補助し、弾性体３０は湾曲形状、図１に示すように弓形形状、Ｃ或いはＵ字形状、或いはその他の形状にてなることができ、前述の弾性体３０は少なくとも一つの通孔３１を設けてなり、該フック２０を嵌合してなり、前記弾性体３０はフック２０の安定性を高めることに利用されてなり、フック２０装着時の揺動を防止すると共に、フック２０が前記固定孔７１にフックする安定性を向上させることができる。この他、弾性体３０の一端は縦方向に延伸し嵌合部３２を備えてなり、前記フック２０を嵌合し、該弾性体３０とフック２０の結合力を高め、他端は縦方向に延伸しストッパー３３を備えてなり、ヒートシンク５０を貼合することに利用されてなり、該フック２０に施される外力を緩衝し振動によりフックが外れてしまう状況を防止する。
【００１７】
本考案では好ましい実施例を前述の通り開示したが、これらは決して本考案に限定するものではなく、当該技術を熟知する者なら誰でも、本考案の精神と領域を脱しない範囲内で各種の変動や潤色を加えることができ、従って本考案明の保護範囲は、実用新案請求の範囲で指定した内容を基準とする。
【図面の簡単な説明】
【００１８】
【図１】本考案の実施例の分解図である。
【図２】図１を組み立て立体図である。
【図３】本考案の操作部分の説明図である。
【図４】図１を他の視角から見た説明図である。
【符号の説明】
【００１９】
１０ クリップ
１１ 本体
１１１ 補助部
１２ つまみ
１３ 凸縁
１３１ 開口
１３２ 偏心孔
２０ フック
２１ 爪
２２ 軸孔
３０ 弾性体
３１ 通孔
３２ 嵌合部
３３ ストッパー
５０ ヒートシンク
６０ ＣＰＵ
７０ 固定枠
７１、７１’固定孔
８０ 固定軸
９０ 支持体
９１ 貫通孔
９２ フック
【図１】
0003121085.tif 000003
【図２】
0003121085.tif 000004
【図３】
0003121085.tif 000005
【図４】
0003121085.tif 000006